(57)【特許請求の範囲】
【請求項１】
屋根に開閉可能に設けられた天窓と、この天窓の下方に設けられたシーリングファンとを備えた建物において、
前記天窓と、この天窓の下方に位置する部屋の天井部との間には、通風および採光用の通気部が傾斜するようにして設けられ、この通気部を形成する壁部のうち、下向きの壁部に、羽根が前記天井部よりも下方に位置するようにして前記シーリングファンが取り付けられており、
前記通気部の壁部には、前記天窓から差し込む太陽光の熱を蓄える蓄熱体が取り付けられていることを特徴とする建物。
【請求項２】
請求項１に記載の建物において、
前記シーリングファンは、前記羽根の回転方向が正逆反転可能となっていることを特徴とする建物。
【請求項３】
請求項１または２に記載の建物において、
前記通気部は、前記天窓と、この天窓の下方に位置する上階の部屋の天井部との間に設けられており、
前記通気部の下方において上端部が上階の部屋の天井部に連通する風洞部が、下階の部屋の天井部に設けられていることを特徴とする建物。
【請求項４】
請求項３に記載の建物において、
前記下階の部屋は、前記風洞部の下端部が設けられる第１部屋と、この第１部屋に隣接するとともに、第１部屋よりも天井高の低い第２部屋とを備えていることを特徴とする建物。
【請求項５】
請求項３または４に記載の建物において、
前記上階の部屋は、前記第２部屋の上部に位置し、かつ前記通気部の下端部が位置する第３部屋と、前記第１部屋の上部に位置するとともに前記第３部屋に隣接する第４部屋とを備えており、
前記第４部屋の天井部は、前記第３部屋の天井部よりも若干低い位置に設けられていることを特徴とする建物。
【発明の詳細な説明】
【技術分野】
【０００１】
本発明は、屋根に開閉可能に設けられた天窓と、この天窓の下方に設けられたシーリングファンとを備えた建物に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
【０００３】
そして、このような高気密・高断熱建物は、屋内外の空気の出入りを遮断しているために換気を十分に行う必要があった。そこで、高気密・高断熱建物の換気を行うために、建物内の部屋等、仕切られた複数の空間をまとめて換気するセントラル換気装置が利用されている（例えば、特許文献１参照）。
【特許文献１】特開平１１−３４４２５３号公報
【発明の開示】
【発明が解決しようとする課題】
【０００４】
ところが、このような換気装置を用いると換気装置の設置にコストがかかる上、換気装置と空調機器との併用により、多くのエネルギーを消費してしまうという問題があった。このため、特に、春や秋等の気候がよい季節においては上記のような換気装置を用いずに、各部屋の窓やドアを開けて建物内に外気を導入し、建物内部の空気と入れ換える等して自然換気を行うようにしている。
【０００５】
しかしながら、暖かい空気は上昇する性質を備えており、各部屋の窓やドアを開けただけでは、この暖かい空気が各部屋の天井部付近に溜まってしまい、効率良く換気を行うことが困難であった。このため、住宅等の建物において自然換気を効率良く行うことが可能な技術の開発が望まれていた。
【０００６】
また、冬場などの寒冷な時季において部屋を暖房する際に、上述したような天井部付近に溜まる暖かい空気を有効的に利用し、従来のような換気装置や空調機器によるエネルギーの消費を低減したいという要望があった。
【０００７】
本発明の課題は、従来とは異なり、換気装置や空調機器によるエネルギー消費を低減することができるとともに、自然換気を効率良く行うことができる建物を提供することを目的とする。
【課題を解決するための手段】
【０００８】
請求項１に記載の発明は、例えば図１〜図３に示すように、屋根４０に開閉可能に設けられた天窓１と、この天窓１の下方に設けられたシーリングファン２とを備えた建物Ａにおいて、
前記天窓１と、この天窓１の下方に位置する部屋３１の天井部３１ａとの間には、通風および採光用の通気部３が傾斜するようにして設けられ、この通気部３を形成する壁部３ａのうち、下向きの壁部に、羽根２ａが前記天井部３１ａよりも下方に位置するようにして前記シーリングファン２が取り付けられており、
前記通気部３の壁部３ａには、前記天窓１から差し込む太陽光の熱を蓄える蓄熱体４が取り付けられていることを特徴とする。
【０００９】
請求項１に記載の発明によれば、前記通気部３を形成する壁部３ａに、前記天窓１から差し込む太陽光の熱を蓄える蓄熱体４が取り付けられているので、前記天窓１を閉塞したまま、前記シーリングファン２の羽根２ａを回転させることによって、前記蓄熱体４に溜まった熱を部屋３１内に流入させることが可能となる。これによって、特に冬場などの寒冷な時季において、昼間のうちに太陽光を蓄熱しておき、夜間に、蓄熱した熱を部屋３１の暖房に用いることができるので、従来とは異なり、換気装置や空調機器によるエネルギー消費を低減することが可能となる。
【００１０】
一方、前記天窓１を通過して前記通気部３内へと差し込む太陽光と、前記通気部３の壁部３ａに取り付けられ、太陽光の熱を蓄えた蓄熱体４とによって、前記通気部３内の空気を暖めることが可能となる。これによって、前記部屋３１の天井部３１ａ付近から通気部３内に上昇してきた暖かい空気を更に暖めることができるので、前記天窓１を開放しておくことで、暖かい空気の上昇および排気を促進することができ、自然換気を効率良く行うことが可能となる。
【００１１】
請求項２に記載の発明は、例えば図１〜図３に示すように、請求項１に記載の建物Ａにおいて、
前記シーリングファン２は、前記羽根２ａの回転方向が正逆反転可能となっていることを特徴とする。
【００１２】
請求項２に記載の発明によれば、前記シーリングファン２の羽根２ａの回転方向が正逆反転可能となっているので、羽根２ａを正回転させることによって上方もしくは下方のいずれか一方に送風することができ、羽根２ａを逆回転させることによって正回転させた場合とは逆の方向に送風することができる。
すなわち、前記羽根２ａを回転させて下方に送風した際は、前記蓄熱体４に溜まった熱を、前記部屋３１へと流入させることができる。これによって、特に冬場などの寒冷な時季において、蓄熱した熱を部屋３１の暖房に用いることができるので、従来とは異なり、換気装置や空調機器によるエネルギー消費を低減することが可能となる。
また、前記羽根２ａを回転させて上方に送風した際は、前記部屋３１の天井部３１ａ付近に溜まった暖かい空気を排気することができる。これによって、必要に応じて、自然換気とは異なる補助的な換気を行うことができるので、特に夏場などの温暖な時季において、従来とは異なり、換気装置や空調機器を用いずに部屋３１内の暖かい空気をより効率良く排気することができ、エネルギー消費を低減することが可能となる。
【００１３】
請求項３に記載の発明は、例えば図２および図３に示すように、請求項１または２に記載の建物Ａにおいて、
前記通気部３は、前記天窓１と、この天窓１の下方に位置する上階３０の部屋３１の天井部３１ａとの間に設けられており、
前記通気部３の下方において上端部が上階３０の部屋３１の天井部３１ａに連通する風洞部５が、下階１０の部屋１１の天井部１１ａに設けられていることを特徴とする。
【００１４】
請求項３に記載の発明によれば、前記風洞部５が下階１０の部屋１１の天井部１１ａに設けられ、上端部が前記上階３０の部屋３１の天井部３１ａに連通するので、前記下階１０の部屋１１の天井部１１ａ付近に溜まった暖かい空気を前記上階３０の部屋３１の天井部３１ａへと確実に排気することができる。一方、前記通気部３が前記天窓１と、この天窓１の下方に位置する上階３０の部屋３１の天井部３１ａとの間に設けられているので、前記上階３０の部屋３１の天井部３１ａ付近に溜まった暖かい空気を外部へと確実に排気することができる。これによって、複数の部屋の天井部付近に溜まる暖かい空気を外部へと排出するに際して、前記風洞部５から通気部３へ、延いては外部へと連続的な排気経路を確保することができるので、自然換気を効率良く行うことが可能となる。
【００１５】
また、前記通気部３の下方において上端部が上階３０の部屋３１の天井部３１ａに連通する前記風洞部５が、下階１０の部屋１１の天井部１１ａに設けられているので、前記シーリングファン２の羽根２ａを回転させた場合に、前記通気部３内や前記上階３０の部屋３１の天井部３１ａ付近に溜まった暖かい空気を、前記風洞部５を通じて下階１０の部屋１１に流入させることが可能となる。これによって、特に冬場などの寒冷な時季において、部屋の暖房に用いることができるので、従来とは異なり、換気装置や空調機器によるエネルギー消費を低減することが可能となる。
【００１６】
請求項４に記載の発明は、例えば図２および図３に示すように、請求項３に記載の建物Ａにおいて、
前記下階１０の部屋１１は、前記風洞部５の下端部が設けられる第１部屋１１と、この第１部屋１１に隣接するとともに、第１部屋１１よりも天井高の低い第２部屋１２とを備えていることを特徴とする。
【００１７】
請求項４に記載の発明によれば、前記下階１０の部屋１１は、前記第１部屋１１と、この第１部屋１１に隣接するとともに、第１部屋１１よりも天井高の低い第２部屋１２とを備えているので、前記第１部屋１１の暖かい空気と、前記第２部屋１２の天井部１２ａ付近に溜まった暖かい空気とが、次第に天井高の高い前記第１部屋１１の天井部１１ａ付近に集まって溜まるようになる。
そして、上端部が前記上階３０の部屋３１の天井部３１ａに連通する風洞部５が、前記第１部屋１１の天井部１１ａに設けられているので、この風洞部５の下端部から前記第１部屋１１の天井部１１ａ付近に溜まった暖かい空気を、前記風洞部５を通じて上階３０の部屋３１の天井部３１ａへと排気することが可能となる。したがって、自然換気を効率良く行うことができる。
【００１８】
また、前記第２部屋１２は、前記第１部屋１１よりも天井高が低いことから、特に冬場などの寒冷な時季において前記シーリングファン２の羽根２ａを回転させた場合に、前記上階３０の部屋３１から風洞部５を通じて前記第１部屋１１に流入した暖かい空気が前記第２部屋１２に吹き込み、室内を暖房することができるので、従来とは異なり、換気装置や空調機器によるエネルギー消費を低減することが可能となる。
【００１９】
請求項５に記載の発明は、例えば図２および図３に示すように、請求項３または４に記載の建物Ａにおいて、
前記上階３０の部屋３１は、前記第２部屋１２の上部に位置し、かつ前記通気部３の下端部が位置する第３部屋３１と、前記第１部屋１１の上部に位置するとともに前記第３部屋３１に隣接する第４部屋３２とを備えており、
前記第４部屋３２の天井部３２ａは、前記第３部屋３１の天井部３１ａよりも若干低い位置に設けられていることを特徴とする。
【００２０】
請求項５に記載の発明によれば、前記第３部屋３１と、この第３部屋３１に隣接するとともに、第３部屋３１よりも若干低い天井高の第４部屋３２とを備えているので、前記下階１０の部屋１１から排気された暖かい空気と、前記第３部屋３１の暖かい空気と、前記第４部屋３２の天井部３２ａ付近に溜まった暖かい空気とが、次第に天井高の高い前記第３部屋３１の天井部３１ａ付近に集まって溜まるようになる。
そして、前記通気部３の下端部が前記第３部屋３１に位置するので、前記第３部屋３１の天井部３１ａ付近に溜まった暖かい空気を、前記通気部３を通じて外部へと排気することが可能となる。したがって、自然換気を効率良く行うことができる。
【００２１】
また、前記第４部屋３２の天井部３２ａは、前記第３部屋３１の天井部３１ａよりも若干低い位置に設けられていることから、特に冬場などの寒冷な時季において前記シーリングファン２の羽根２ａを回転させた場合に、前記通気部３内や前記第３部屋３１の天井部３１ａ付近に溜まった暖かい空気が前記第４部屋３２に吹き込み、室内を暖房することができるので、従来とは異なり、換気装置や空調機器によるエネルギー消費を低減することが可能となる。
【発明の効果】
【００２２】
本発明によれば、通気部を形成する壁部に、天窓から差し込む太陽光の熱を蓄える蓄熱体が取り付けられているので、前記天窓を閉塞したまま、前記通気部の壁部に設けられたシーリングファンの羽根を回転させることによって、前記蓄熱体に溜まった熱を部屋内に流入させることが可能となる。これによって、特に冬場などの寒冷な時季において、昼間のうちに太陽光を蓄熱しておき、夜間に、蓄熱した熱を部屋の暖房に用いることができるので、従来とは異なり、換気装置や空調機器によるエネルギー消費を低減することが可能となる。
一方、前記天窓を通過して前記通気部内へと差し込む太陽光と、太陽光の熱を蓄えた前記蓄熱体とによって、前記通気部内の空気を暖めることが可能となる。これによって、前記部屋の天井部付近から通気部内に上昇してきた暖かい空気を更に暖めることができるので、前記天窓を開放しておくことで、暖かい空気の上昇および排気を促進することができ、自然換気を効率良く行うことが可能となる。
また、前記シーリングファンの羽根を回転させて上方に送風した際は、部屋の天井部付近に溜まった暖かい空気の排気が可能となる。すなわち、必要に応じて自然換気とは異なる補助的な換気を行うことができ、特に夏場などの温暖な時季において、従来とは異なり、換気装置や空調機器を用いずに部屋内の暖かい空気をより効率良く排気することができ、エネルギー消費を低減することが可能となる。
【発明を実施するための最良の形態】
【００２３】
以下、図面を参照して本発明に係る建物Ａの実施の形態について説明する。
なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２４】
本実施の形態の建物Ａは、図１〜図３に示すように、屋根４０に開閉可能に設けられた天窓１と、この天窓１の下方に設けられたシーリングファン２とを備えたものであり、
前記天窓１と、この天窓１の下方に位置する部屋３１の天井部３１ａとの間には、通風および採光用の通気部３が設けられ、この通気部３を形成する壁部３ａに、羽根２ａが前記天井部３１ａよりも下方に位置するようにして前記シーリングファン２が取り付けられており、
前記通気部３の壁部３ａには、前記天窓１から差し込む太陽光の熱を蓄える蓄熱体４が取り付けられている。
【００２５】
また、前記シーリングファン２は、図２および図３に示すように、前記羽根２ａの回転方向が正逆反転可能となっている。
【００２６】
さらに、前記通気部３は、建物Ａ内に設けられた通気設備Ｂの一部であり、このような通気設備Ｂは、下階１０の部屋１１の天井部１１ａに設けられ、上端部が上階３０の部屋３１の天井部３１ａに連通する風洞部５と、前記天窓１と、この天窓１の下方に位置する上階３０の部屋３１の天井部３１ａとの間に設けられた前記通気部３とからなる。
【００２７】
そして、前記下階１０の部屋１１は、前記風洞部５の下端部が設けられる第１部屋１１と、この第１部屋１１に隣接するとともに、第１部屋１１よりも天井高の低い第２部屋１２とを備えている。
前記上階３０の部屋３１は、前記第２部屋１２の上部に位置し、かつ前記通気部３の下端部が位置する第３部屋３１と、前記第１部屋１１の上部に位置するとともに前記第３部屋３１に隣接する第４部屋３２とを備えており、前記第４部屋３２の天井部３２ａは、前記第３部屋３１の天井部３１ａよりも若干低い位置に設けられている。
【００２８】
ここで、本実施の形態の建物Ａにおける各階の間取りについて詳細に説明する。本実施の形態の建物Ａは、前記第１部屋１１および第２部屋１２を備えた１階１０と、前記第３部屋３１および第４部屋３２を備えた２階３０と、これら１階１０および２階３０の中間に位置する中間階２０とからなる。
【００２９】
まず、本実施の形態の建物Ａの１階１０は、図４に示すように、前記第１部屋１１および第２部屋１２の他に、玄関ポーチ１３ａ、玄関土間１３ｂ、玄関ホール１３ｃ、シューズクローゼット１３ｄ等の玄関部１３や、小室１４、また、洗面室１５ａ、１階用トイレ１５ｂ、浴室１５ｃ等の水回り室１５や、サンルーム１６が設けられている。
【００３０】
さらに、図５に示すように、前記第１部屋１１に隣接して低天井室１７が設けられている。この低天井室１７は、１階１０の床１０ａの一部の上に中間床２０ａが設けられ、この中間床２０ａと１階１０の床１０ａとの間のスペースを指しており、前記第１部屋１１に、出入り口１７ａが面しているとともに、建物Ａの外部へ通じる開口部１８がこの出入り口１７ａと対向する壁１７ｂに設けられている。
【００３１】
また、前記低天井室１７に設けられた開口部１８は地窓であり、前記１階１０の床１０ａに近い高さに設けられ、室内側からのみ開閉可能となっている。そして、このような地窓の態様として、前記低天井室１７の壁１７ｂに設けられたサッシ１７ｃの下側で床に近い高さに設けられており、図６（ａ）に示すような内倒し式の窓１８ａと、図６（ｂ）に示すような上方に向かって開ける窓１８ｂとが挙げられる。
このように上方に向かって開ける窓１８ｂの場合、窓１８ｂを設けるための土台を設けなければならない。本実施の形態においては、図６（ｂ）に示すように、複数の枠部材１８ｃを室内側に突出させて形成している。
なお、本実施の形態の地窓は以上のような態様のものが用いられているが、これに限るものではなく、本発明の趣旨を逸脱しない範囲で適宜変更可能であることは言うまでもない。
【００３２】
このように前記低天井室１７に設けられた地窓が、前記１階１０の床１０ａに近い高さに設けられているので、外部からの空気がより低い高さから流入するようになる。そして、前記低天井室１７から前記第１部屋１１へと吹き込む外部の空気が、第１部屋１１の低い位置にある暖かい空気を押し上げて上昇させるので、前記第１部屋１１の暖かい空気を天井部付近に溜めて、前記通気設備Ｂによって排気しやすくなり、特に夏場においては、より一層効率良く自然換気を行うことが可能となる。
また、前記低天井室１７に設けられた地窓が、室内側からのみ開閉可能となっていることから、屋外側から開閉することができず、外部からの人の侵入を防止することができるので防犯上優れる。
【００３３】
また、前記低天井室１７は、その天井高が０．９ｍ〜１．４ｍに設定されており、様々なものを収納するための収納空間となっている。
このように前記低天井室１７の天井高を０．９ｍ〜１．４ｍに設定することによって、居住者が低天井室１７に入って、何とか作業ができる最低限の高さを確保でき、また、このように天井高を必要最低限に押さえることで、建物Ａの高さが高くなることによって隣接する建物に及ぼす日照現象等の影響を極力少なくすることができるようになっている。
また、前記低天井室１７の出入り口１７ａが前記第１部屋１１に面して設けられており、物品の収納がしやすくなっている。
【００３４】
さらに、前記低天井室１７は、図２〜図６に示すように、床の一部が土間床１７ｄとなっており、蓄冷することができるようになっている。すなわち、前記開口部１８付近の床が土間床１７ｄとなっていることによって、開口部１８を通じて外部から空気を流入させた場合、前記土間床１７ｄの付近の冷たい空気が一緒に建物Ａ内へと吹き込むようになるので、建物Ａ内の暖かい空気を排気する際に補助の役割を果たすことができるようになっている。
【００３５】
そして、前記低天井室１７は、北側に位置するように建物Ａ内に配置されることが望ましい。これは、夏場においても比較的冷たい空気を建物Ａ内に流入させることができるためである。この時、前記低天井室１７に設けられる開口部１８が北側に面して設けられることによって、より一層冷たい空気を建物Ａ内に流入させることができるようになっている。
【００３６】
また、冬場においては、前記開口部１８を閉じて空気の流入を防ぐことができるので、室内温度を極端に低下させることはない。さらに、前記低天井室１７自体が建物Ａの北側に位置していたとしても、この低天井室１７は上述したように収納空間として用いられているため、例えば、後述するリビングや自室と比較して、居住者が積極的に足を運ぶスペースではないので、冬場における居住者の生活に与える影響は少ない。
さらに、冬場においては、前記開口部１８を閉塞しておくことによって、冷たい空気は遮断されるが、太陽光は前記地窓を通じて低天井室１７内に差し込むので、前記土間床１７ｄによって、太陽光の熱を蓄えることができるようになっている。これによって、冬季における低天井室１７の温度を高くすることができるようになっている。
【００３７】
一方、図２〜図４に示すように前記第１部屋１１は、リビングとなっており、前記第２部屋１２は、ダイニングおよびキッチンを備えた構成となっている。すなわち、これら第１部屋１１および第２部屋１２は、居住者が集う共用居住空間となっている。
【００３８】
また、前記第１部屋１１は、上述したように、前記第２部屋１２よりも天井高が高く、１階１０から中間階２０にわたる吹抜けを備えた部屋となっている。
そして、前記第１部屋１１と第２部屋１２との天井高に高低差が生じているとともに、前記第１部屋１１とその他の１階１０の部屋との天井高に高低差が生じているので、１階１０の部屋の暖かい空気が、次第に天井高の高い前記第１部屋１１に集まって溜まるようになる。
これによって、上端部が前記第３部屋３１の天井部３１ａに連通する風洞部５が、前記第１部屋１１の天井部１１ａに設けられているので、この風洞部５の下端部から前記第１部屋１１の天井部１１ａ付近に溜まった暖かい空気を、前記風洞部５を通じて第３部屋３１の天井部３１ａへと排気することができるようになっている。
また、前記第２部屋１２は、前記第１部屋１１よりも天井高が低いことから、特に冬場などの寒冷な時季において前記シーリングファン２の羽根２ａを回転させた場合に、前記第３部屋３１から風洞部５を通じて前記第１部屋１１に流入した暖かい空気を、前記第２部屋１２に流入させて室内を暖房することができるので、従来とは異なり、換気装置や空調機器によるエネルギー消費を低減することが可能となる。
【００３９】
そして、図４に示すように、前記低天井室１７に隣接するとともに前記第１部屋１１および第２部屋１２に面して、中間階２０を含む上階３０に向かう階段１９が設けられている。
また、このように階段を、前記第１部屋１１および第２部屋１２の共用居住空間に設けることによって、前記玄関部１３と上階３０との行き来をする場合に、前記共用居住空間を必ず通過することになるので、居住者どうしのコミュニケーションの機会を容易に得ることができるようになっている。
【００４０】
次に、本実施の形態の建物Ａの中間階２０は、図７に示すように、前記階段１９を途中まで上がった踊り場２１に面して、和室２２が設けられている。また、前記踊り場２１から、さらに階段２３上がると階段ホール２４があり、この階段ホール２４を中心に複数の部屋が設けられている。
【００４１】
これら複数の部屋のうち、前記階段２３に隣接して中間階低天井室２５が設けられている。この中間階低天井室２５も前記低天井室１７と同様に、その天井高が０．９ｍ〜１．４ｍに設定されており、様々なものを収納するための収納空間となっている。
【００４２】
また、前記中間階低天井室２５に隣接して洋室２６が設けられており、この洋室２６の外部にバルコニー２７が設けられている。
【００４３】
さらに、前記洋室２６とバルコニー２７を通じて行き来でき、かつ前記中間階低天井室２５に、前記階段ホール２４を介して隣接する位置に、前記第３部屋３１が設けられている。この第３部屋３１は、図２および図３に示すように、吹抜けを備え、中間階２０と２階３０とにわたる高天井の部屋となっている。また、前記第３部屋３１には、図７および図８に示すように、後述する第４の部屋に至る階段３１ｂが設けられている。
【００４４】
次に、本実施の形態の建物Ａの２階３０は、図８に示すように、前記階段ホール２４から階段３３を上がった場所に階段ホール３４が設けられている。また、この階段ホール３４に面して２階用トイレ３５が設けられている。
【００４５】
また、前記中間階低天井室２５の上部に、前記階段ホール３４に面して出入り口３６ａが設けられた洋室３６が設けられており、この洋室３６はロフト部３６ｂを備えている。
【００４６】
一方、この洋室３６と対向した位置に出入り口３２ｂが設けられた前記第４部屋３２が、図２および図３に示すように、前記第１部屋１１の上部に位置するようにして設けられている。また、この第４部屋３２は、上述したように、前記階段３１ｂを通じて前記第３部屋３１と隣接するようにして設けられている。なお、この第４部屋３２は、前記第１部屋１１の上部に位置するだけでなく、図７および図８に示すように、前記中間階２０の和室２２の上部にも位置しており、前記和室２２の上部にはクローゼット３２ｃが設けられている。
【００４７】
また、前記第４部屋３２の天井部３２ａは、図２および図３に示すように、前記第３部屋３１の天井部３１ａよりも若干低い位置に設けられている。さらに、その他の前記中間階２０および２階３０の各部屋も、前記第３部屋３１に比して天井部が低い位置に設けられている。これにより、前記第４部屋３２、また前記中間階２０および２階３０の各部屋の天井部付近に溜まった暖かい空気が、次第に前記第３部屋３１の天井部３１ａ付近に溜まるようになる。
そして、上端部が外部に連通する前記通気部３が、前記第３部屋３１の天井部３１ａに設けられていることによって、この通気部３の下端部から前記第３部屋３１の天井部３１ａ付近に溜まった暖かい空気を、前記通気部３を通じて外部へと排気することが可能となる。したがって、自然換気を効率良く行うことができるようになっている。
また、前記第４部屋３２の天井部３２ａは、前記第３部屋３１の天井部３１ａよりも若干低い位置に設けられていることから、特に冬場などの寒冷な時季において前記シーリングファン２の羽根２ａを回転させた場合に、前記通気部３内や前記第３部屋３１の天井部３１ａ付近に溜まった暖かい空気を前記第４部屋３２に流入させて室内を暖房することができるので、従来とは異なり、換気装置や空調機器によるエネルギー消費を低減することが可能となる。
【００４８】
なお、以上のように本実施の形態の建物Ａは複数の部屋を備えているが、例えば、これら複数の部屋どうしの間にドア等を設けた場合、これらドアは閉じられたままの状態になる場合があるので、ドアの上部に欄間（図示せず）等を設けて自然換気を促すことが望ましい。
また、このような欄間を、前記低天井室１７の地窓の対角線上に設けるなどして、より一層効率良く自然換気を行うことが望ましい。
さらに、欄間を開閉式とすることで、夏場には開放して換気を促し、冬場には閉塞して気密性を向上させることができるので好ましい。
【００４９】
なお、本実施の形態の建物Ａの間取りは以上のように構成されているが、これに限られるものではなく、本発明の趣旨を逸脱しない範囲で適宜変更可能であることは言うまでもない。
【００５０】
次に、このような本実施の形態の建物Ａに設置された前記風洞部５および通気部３からなる通気設備Ｂについて詳細に説明する。
【００５１】
すなわち、前記通気設備Ｂは、図２および図３に示すように、前記第１部屋１１の天井部１１ａに設けられ、上端部が前記第３部屋３１の天井部３１ａに連通する風洞部５と、前記天窓１と、この天窓１の下方に位置する前記第３部屋３１の天井部３１ａとの間に設けられた通気部３とからなる。
【００５２】
また、前記風洞部５は、下端部が前記第１部屋１１の天井部１１ａに設けられた状態となっており、図７に示すように、本体部は第３部屋３１において前記階段３１ｂに隣接して設けられている。そして、その上端部は、図２、図３および図８に示すように、前記第３部屋３１の天井部３１ａに連通している。
【００５３】
ここで、これら風洞部５と通気部３との位置関係としては、図２および図３に示すように、前記第３部屋３１の天井部３１ａを介して前記通気部３の下方に前記風洞部５が設けられた状態となっている。これによって、前記通気部３から風洞部５へ、または前記風洞部５から通気部３へと連続的な通気経路を確保することが可能となる。
すなわち、前記第１部屋１１の天井部１１ａに溜まった暖かい空気が上方の第３部屋３１に向かって排気されやすくなるとともに、第３部屋３１の天井部３１ａ付近に溜まった暖かい空気が外部へと排気されやすくなるので、自然換気を効率良く行うことができるようになっている。
また、前記シーリングファン２の羽根２ａを回転させた場合に、前記通気部３内や前記２階３０の部屋３１の天井部３１ａ付近に溜まった暖かい空気を、前記風洞部５を通じて１階１０の部屋１１に流入させることが可能となる。これによって、特に冬場などの寒冷な時季において、部屋を暖房する際の補助となるので、従来とは異なり、換気装置や空調機器によるエネルギー消費を低減することが可能となっている。
【００５４】
また、前記第１部屋１１の天井部１１ａと前記風洞部５の下端部との間には、空気を流通させるための開口部５ａが設けられており、前記天窓１が開閉可能に設けられている。これによって、前記第１部屋１１の天井部１１ａ付近に溜まった暖かい空気を前記第３部屋３１へと確実に排気することができるとともに、前記第３部屋３１の天井部３１ａ付近に溜まった暖かい空気を外部へと確実に排気することができる。
【００５５】
さらには、前記天窓１を開いた状態にすると、建物Ａ内を通る通気経路が外部に向かって開放されて自然換気を効率良く行うことができ、前記天窓１を閉めた状態にすると、通気経路が閉塞されて建物Ａ内の気密性を向上することができるようになっている。
すなわち、例えば夏場においては、前記天窓１を開いた状態にすることによって、建物Ａ内の暖かい空気を効率良く排気することができるとともに、冬場においては、前記天窓１を閉めた状態することによって、建物Ａ内の暖かい空気を逃がさないようにすることができるので、居住性の向上を図ることが可能となる。
また、このように夏場において暖かい空気を効率良く排気することができるとともに、冬場において建物Ａ内の暖かい空気を逃がさないようにすることができるので、従来とは異なり、空調機器や換気装置等に係るコストを抑えることが可能となり、その上、多くのエネルギー消費を抑制することが可能となっている。
【００５６】
次に、このような本実施の形態の通気設備Ｂに設けられた前記天窓１、シーリングファン２、および通気部３について更に詳細に説明する。
【００５７】
前記天窓１は、図１に示すように、屋根４０に開閉可能に設けられ、前記シーリングファン２は、前記天窓１の下方において通気部３を形成する壁部３ａに取り付けられている。前記通気部３は、前記天窓１と、この天窓１の下方に位置する前記第３部屋３１の天井部３１ａとの間に設けられている。
【００５８】
また、前記通気部３の壁部３ａには、後述するシーリングファン２の回転駆動部２ｂが取り付けられる水平部３ｂが形成されている。
さらに、前記通気部３の壁部３ａには、上述したように、前記天窓１から差し込む太陽光の熱を蓄える蓄熱体４が取り付けられている。この蓄熱体４は、前記通気部３の壁部３ａの四方を覆うようにして取り付けられており、様々な角度で差し込む太陽光の熱を蓄えることができるようになっている。
【００５９】
すなわち、夏の陽射しに比べて冬の陽射しは角度が低かったり、秋の陽射しの角度は冬の陽射しに比べて高いものの、夏の陽射しよりは低かったりなど、季節ごとの太陽光の差し込み角度に対応できるようになっている。
【００６０】
なお、本実施の形態の蓄熱体４は、例えば、日中に暖房するほど低温でない冬の前後の期間に、日中、暖気による熱を蓄熱体に蓄えて、夜間に蓄熱体を介して部屋に送風し、温風を部屋内に送り込んで暖房できるものであれば良く、熱容量の大きなものが望ましい。また、具体的な熱媒の種類は実施にあたって適宜選択すればよい。
【００６１】
また、図示はしないが、前記天窓１に、この天窓１を覆って遮光できるスクリーンを設けても良い。このようなスクリーンは、巻き出し可能なものであり、巻き出すことによって、前記天窓１を覆って遮光でき、巻き取ることによって天窓１を露出して、採光できるようになっている。
【００６２】
一方、前記シーリングファン２は、前記羽根２ａと、前記水平部３ｂに取り付けられ、前記羽根２ａを回転させる回転駆動部２ｂと、上端部が前記回転駆動部２ｂに取り付けられ、かつ下端部が前記羽根２ａに取り付けられるとともに、前記通気部３を通って前記第３部屋３１の天井部３１ａより下方まで鉛直に延出する駆動軸２ｃとを備えている。
【００６３】
そして、このようなシーリングファン２では、前記駆動軸２ｃが回転駆動部２ｂにより正方向に回転することによって、羽根２ａが正方向に回転して下方に送風し、前記駆動軸２ｃが回転駆動部２ｂにより逆方向に回転することによって、羽根２ａが逆方向に回転して上方に送風するようになっている。
【００６４】
つまり、このようなシーリングファン２を正回転させることによって、図２に示すように、前記蓄熱体４に溜まった熱を、前記第３部屋３１から第４部屋３２へ、または前記風洞部５を通じて前記第１部屋１１と第２部屋１２とに流入させることが可能となる。これによって、特に冬場などの寒冷な時季において、昼間のうちに太陽光の熱を前記蓄熱体４に蓄熱しておき、夜間に蓄熱した熱を部屋の暖房として用いることができるので、従来とは異なり、換気装置や空調機器によるエネルギー消費を低減することが可能となる。
【００６５】
一方、前記シーリングファン２の羽根２ａを逆回転させることによって、前記第３部屋３１の天井部３１ａ付近に溜まった１階１０の部屋１１を含む建物Ａ内の暖かい空気を、前記通気部３を通じて外部へと排気することができる。
これによって、必要に応じて、自然換気とは異なる補助的な換気を行うことができるので、特に夏場などの温暖な時季において、従来とは異なり、換気装置や空調機器を用いずに部屋３１内の暖かい空気をより効率良く排気することができ、エネルギー消費を低減することが可能となる。
【００６６】
なお、図１に示すように、本実施の形態においては、前記通気部３近傍に、室内用の温度センサ（図示せず）と外部用の温度センサ（図示せず）とが接続され、前記天窓１の自動開閉および前記回転駆動部２ｂの自動正逆回転を制御する制御部６が設けられた状態となっている。さらに、この制御部６は、図示しない前記スクリーンや空調機器等も制御できるようになっている。
このような制御部６を設けることによって、例えば、前記天窓１の開閉や、シーリングファン２の回転、空調機器の作動等を制御して、外気温よりも室内温度を高くしたり、低くしたり等の調節を自動で行い、建物Ａ内を常に過ごしやすい住環境とすることができるようになっている。
【００６７】
また、前記天窓１を閉塞したまま、前記シーリングファン２の羽根２ａを回転させることによって、部屋３１内の空気を撹拌することができるので、室内温度を均一にすることが可能となる。これによって、建物Ａ内を過ごしやすい環境とすることができるようになっている。
【００６８】
なお、その他にも、自然換気を促す方法として、各階の窓を開放したり、自然換気を補助する方法として、比較的深い軒を設置することによって日射を遮蔽したり、日射熱を外気に逃がす通気瓦屋根を使用したり等、様々な方法を行うことができる。
また、冬場においても、前記サンルーム１６から積極的に太陽熱を取り込んだり、建物Ａの気密性、断熱性を向上させたり等、様々な方法で寒さ対策を行うことができる。
さらに、上述のようなシーリングファン２を正回転させることにより暖かい空気を建物Ａ内に送る方法と併用して、１階１０の部屋１１の床の一部を蓄熱土間（図示せず）とする方法をとっても良い。これによって、従来とは異なり、換気装置や空調機器等を用いずに１階１０の部屋１１を暖めることができるので、特に冬場などの寒冷な時季において、換気装置や空調機器によるエネルギー消費を低減することが可能となり好ましい。
【００６９】
本実施の形態によれば、通気部３を形成する壁部３ａに、天窓１から差し込む太陽光の熱を蓄える蓄熱体４が取り付けられているので、前記天窓１を閉塞したまま、前記通気部３の壁部３ａに設けられたシーリングファン２の羽根２ａを回転させることによって、前記蓄熱体４に溜まった熱を部屋３１内に流入させることが可能となる。これによって、特に冬場などの寒冷な時季において、昼間のうちに太陽光を蓄熱しておき、夜間に蓄熱した熱を部屋の暖房として用いることができるので、従来とは異なり、換気装置や空調機器によるエネルギー消費を低減することが可能となる。
一方、前記天窓１を通過して前記通気部３内へと差し込む太陽光と、太陽光の熱を蓄えた前記蓄熱体４とによって、前記通気部３内の空気を暖めることが可能となる。これによって、前記部屋３１の天井部３１ａ付近から通気部３内に上昇してきた暖かい空気を更に暖めることができるので、前記天窓１を開放しておくことによって、暖かい空気の上昇および排気を促進することができ、自然換気を効率良く行うことが可能となる。
また、前記シーリングファン２の羽根２ａの回転方向が正逆反転可能となっているので、羽根２ａの回転方向を正逆反転させることにより、必要に応じて、自然換気とは異なる補助的な換気を行うことができる。これによって、特に夏場などの温暖な時季において、従来とは異なり、換気装置や空調機器を用いずに部屋内の暖かい空気をより効率良く排気することができ、エネルギー消費を低減することが可能となる。
【図面の簡単な説明】
【００７０】
【図１】本発明に係る建物に設けられた天窓、シーリングファンおよび通気部を示す断面図である。
【図２】本発明の実施形態に係る建物を示し、シーリングファンを正回転させた時の通気状態を示す断面図である。
【図３】本発明の実施形態に係る建物を示し、シーリングファンを逆回転させた時の通気状態を示す断面図である。
【図４】図１の建物の１階間取りを示す平面図である。
【図５】図２および図３とは異なる方向から見た建物の断面図である。
【図６】（ａ）と（ｂ）とで異なる種類に構成されている低天井室の開口部を示す要部拡大図である。
【図７】図１の建物の中間階間取りを示す平面図である。
【図８】図１の建物の２階間取りを示す平面図である。
【符号の説明】
【００７１】
Ａ  建物
Ｂ  通気経路
１  通気部
２  シーリングファン
２ａ  羽根
３  通気部
４  蓄熱体
５  風洞部
１０  下階（１階）
１１  第１部屋
１２  第２部屋
２０  中間階
３０  上階（２階）
３１  第３部屋
３２  第４部屋
４０  屋根
【図１】
0004607739.tif 000002
【図４】
0004607739.tif 000003
【図６】
0004607739.tif 000004
【図７】
0004607739.tif 000005
【図８】
0004607739.tif 000006
【図２】
0004607739.tif 000007
【図３】
0004607739.tif 000008
【図５】
0004607739.tif 000009